(57)【要約】【課題】複数種類の記録媒体から映像情報を読み出して映像信号を外部の映像表示装置へ出力する本体を備えてリモコンで操作される映像再生装置において、リモコンの操作性を向上させることを課題とする。【解決手段】リモコン４０は、一回の押し操作で再生モードを本体１０に設定するとともに映像信号又は再生リストを映像表示装置Ｔ１へ出力するための再生キー５１〜５３を映像再生部３１〜３３毎に備え、押し操作に応じた操作状態信号ＳＩ１を本体１０へ送信する。本体１０は、受信した操作状態信号ＳＩ１が再生モードの設定及び映像信号又は再生リストの出力を表す信号である場合、当該受信した操作状態信号ＳＩ１に対応する再生モードを自らに設定するとともに当該設定した再生モードに対応した記録媒体Ｍ１〜Ｍ３から映像情報ＩＶ１〜ＩＶ３を読み出して映像信号ＳＶ１〜ＳＶ３又は再生リストＬ１，Ｌ２を生成して映像表示装置Ｔ１へ出力する。【選択図】図３
2011114410.tif 000002
【特許請求の範囲】
【請求項１】
映像情報記録用の各記録媒体から映像情報を読み出して外部の映像表示装置へ出力するための映像信号を生成する各映像再生部を備える本体をリモートコントローラで操作するようにした映像再生装置において、
前記リモートコントローラは、一回の押し操作で前記各映像再生部に対応した各再生モードを前記本体に設定するとともに当該設定した再生モードに対応した記録媒体からの映像信号又は再生リストを前記映像表示装置へ出力するための再生キーを前記映像再生部毎に備え、押し操作に応じた操作状態信号を前記本体へ送信し、
前記本体は、前記操作状態信号を受信し、当該受信した操作状態信号が再生モードの設定及び映像信号又は再生リストの出力を表す信号である場合、当該受信した操作状態信号に対応する再生モードを自らに設定するとともに当該設定した再生モードに対応した記録媒体から映像情報を読み出して映像信号又は再生リストを生成して前記映像表示装置へ出力することを特徴とする映像再生装置。
【請求項２】
前記リモートコントローラは、前記再生キーが所定時間以上押されたときに再生モードの設定及び映像信号又は再生リストの出力が表された前記操作状態信号を前記本体へ送信することを特徴とする請求項１に記載の映像再生装置。
【請求項３】
前記リモートコントローラは、前記再生キーを一回の押し操作で再生モードの設定及び映像信号又は再生リストの出力を指示するキーとするか否かの選択入力を受け付けるとともに、一回の押し操作で再生モードの設定及び映像信号又は再生リストの出力を指示するキーとする選択入力を受け付けた場合に再生モードの設定及び映像信号又は再生リストの出力が表された前記操作状態信号を前記本体へ送信することを特徴とする請求項１又は請求項２に記載の映像再生装置。
【請求項４】
前記各映像再生部には、前記本体に設けられた内蔵記録媒体から内蔵記録媒体映像情報を読み出して前記映像表示装置へ出力するための内蔵記録媒体映像信号を生成する内蔵記録媒体映像再生部と、テープ状記録媒体からビデオテープ映像情報を読み出して前記映像表示装置へ出力するためのビデオテープ映像信号を生成するビデオテープ映像再生部と、が少なくとも含まれ、
前記リモートコントローラは、前記再生キーとして、一回の押し操作で前記内蔵記録媒体映像再生部に対応した内蔵記録媒体再生モードを前記本体に設定するとともに前記内蔵記録媒体からの内蔵記録媒体再生リストを前記映像表示装置へ出力するための内蔵記録媒体再生キー、及び、一回の押し操作で前記ビデオテープ映像再生部に対応したビデオテープ再生モードを前記本体に設定するとともに前記テープ状記録媒体からのビデオテープ映像信号を前記映像表示装置へ出力するためのビデオテープ再生キー、を少なくとも備え、
前記本体は、前記受信した操作状態信号が前記内蔵記録媒体再生モードの設定及び内蔵記録媒体再生リストの出力を表す信号である場合に前記内蔵記録媒体再生モードを自らに設定するとともに前記内蔵記録媒体映像再生部で前記内蔵記録媒体から内蔵記録媒体映像情報を読み出して内蔵記録媒体再生リストを生成して前記映像表示装置へ出力し、前記受信した操作状態信号が前記ビデオテープ再生モードの設定及びビデオテープ映像信号の出力を表す信号である場合に前記ビデオテープ再生モードを自らに設定するとともに前記ビデオテープ映像再生部で前記テープ状記録媒体からビデオテープ映像情報を読み出してビデオテープ映像信号を生成して前記映像表示装置へ出力することを特徴とする請求項１〜請求項３のいずれか一項に記載の映像再生装置。
【請求項５】
内蔵のハードディスクからハードディスク映像情報を読み出して外部の映像表示装置へ出力するためのハードディスク映像信号を生成するハードディスク記録再生部と、装着されたディスク状記録媒体から装着ディスク映像情報を読み出して前記映像表示装置へ出力するための装着ディスク映像信号を生成する装着ディスク記録再生部と、装着されたビデオテープからビデオテープ映像情報を読み出して前記映像表示装置へ出力するためのビデオテープ映像信号を生成するビデオテープ記録再生部とを備える本体をリモートコントローラで操作するようにした一体型記録再生装置において、
前記リモートコントローラは、一回の押し操作で前記ハードディスク記録再生部に対応したハードディスク再生モードを前記本体に設定するとともに前記ハードディスクからのハードディスク再生リストを前記映像表示装置へ出力するためのハードディスク再生キーと、一回の押し操作で前記装着ディスク記録再生部に対応した装着ディスク再生モードを前記本体に設定するとともに前記ディスク状記録媒体からの装着ディスク映像信号又は装着ディスク再生リストを前記映像表示装置へ出力するための装着ディスク再生キーと、一回の押し操作で前記ビデオテープ記録再生部に対応したビデオテープ再生モードを前記本体に設定するとともに前記ビデオテープからのビデオテープ映像信号を前記映像表示装置へ出力するためのビデオテープ再生キーと、を備え、押し操作に応じた操作状態信号を前記本体へ送信し、
前記本体は、前記操作状態信号を受信し、当該受信した操作状態信号が前記ハードディスク再生モードの設定及び前記ハードディスク再生リストの出力を表す信号である場合に前記ハードディスク再生モードを自らに設定するとともに前記ハードディスク記録再生部で前記ハードディスクからハードディスク映像情報を読み出してハードディスク再生リストを生成して前記映像表示装置へ出力し、前記受信した操作状態信号が前記装着ディスク再生モードの設定及び前記装着ディスク映像信号又は前記装着ディスク再生リストの出力を表す信号である場合に前記装着ディスク再生モードを自らに設定するとともに前記装着ディスク記録再生部で前記ディスク状記録媒体から装着ディスク映像情報を読み出して装着ディスク映像信号又は装着ディスク再生リストを生成して前記映像表示装置へ出力し、前記受信した操作状態信号が前記ビデオテープ再生モードの設定及び前記ビデオテープ映像信号の出力を表す信号である場合に前記ビデオテープ再生モードを自らに設定するとともに前記ビデオテープ記録再生部で前記ビデオテープからビデオテープ映像情報を読み出してビデオテープ映像信号を生成して前記映像表示装置へ出力することを特徴とする一体型記録再生装置。
【発明の詳細な説明】
【技術分野】
【０００１】
本発明は、複数種類の記録媒体から映像情報を読み出して映像信号を外部の映像表示装置へ出力する本体を備えてリモートコントローラで操作される映像再生装置及び一体型記録再生装置に関する。
【背景技術】
【０００２】
ハードディスクレコーダとＤＶＤ（Digital Versatile Disk）レコーダとビデオテープレコーダの一体型記録再生装置は、テレビジョン（映像表示装置）に接続されて使用される。この記録再生装置を動作させるためのリモコン（リモートコントローラ）には、記録再生モードの操作入力を受け付けるための［ＨＤＤ］キーや［ＤＩＳＣ］キーや［ＶＨＳ］（Video Home System）キー、再生の操作入力を受け付けるための［再生］キー、等が設けられている。
【０００３】
例えば、現在の記録再生モードが「ＶＨＳ」モードであるとする。ユーザは、ＤＶＤに記録された映像を再生させるとき、必要に応じてＤＶＤを記録再生装置に入れ、［ＤＩＳＣ］キーを押して記録再生モードを「ＤＶＤ」モードにした後、［再生］キーを押すこととなる。［ＤＩＳＣ］キーを押さずに［再生］キーを押すと、ＶＨＳのビデオテープが映像再生されるためである。また、ユーザは、ハードディスクに記録された映像の再生リストを表示させるとき、［ＨＤＤ］キーを押して記録再生モードを「ＨＤＤ」モードにした後、［再生］キーを押すこととなる。
さらに、現在の記録再生モードが「ＨＤＤ」モード又は［ＤＶＤ］モードであるとする。ユーザは、ＶＨＳのビデオテープに記録された映像を再生させるとき、必要に応じてビデオテープを記録再生装置に入れ、［ＶＨＳ］キーを押して記録再生モードを「ＶＨＳ」モードにした後、［再生］キーを押すこととなる。
【先行技術文献】
【特許文献】
【０００４】
【特許文献１】特開２００９−６５４４２号公報
【特許文献２】特開平８−１９０７０１号公報
【特許文献３】特開２００５−７３１９６号公報
【特許文献４】特開２００２−３１５０８０号公報
【発明の概要】
【発明が解決しようとする課題】
【０００５】
ＤＶＤが記録再生装置に入れられたにもかかわらず現在の記録再生モードが「ＤＶＤ」モード以外であれば［再生］キーが押されてもＤＶＤの映像が再生されないのは、違和感がある。所望の記録媒体について再生させたり再生リストを表示させたりするために一旦記録媒体を選択操作するのは、手間がかかる。
【０００６】
なお、特許文献１記載の技術は、テレビジョンであるため、上述した課題を解決するものではない。このテレビジョンの装置本体は、再生するソースとなる放送信号を受信するチューナ、外部入力端子１、外部入力端子２、外部入力端子３、外部入力端子４、を備えている。すなわち、特許文献１記載の再生とは、受信した放送信号や外部入力端子から入力されるテレビジョン信号を映像表示することを意味し、記録媒体からの映像信号出力を意味しない。特許文献１のテレビジョンは、外部入力切り換えとして、外部入力１→外部入力２→外部入力３→外部入力４の順序を表す状態切換テーブルがリモコンのメモリに記憶されている。受信中の放送信号が映像表示されている場合に状態切換ボタンが押されると、状態切換テーブルの１番目に設定された外部入力１によるテレビジョン信号が映像表示される。外部入力のいずれかのテレビジョン信号が映像表示されている場合に状態切換ボタンが押されると、現在表示中の外部入力の次の順番に設定された外部入力によるテレビジョン信号が映像表示される。
従って、外部入力２〜４を選択するためには、状態切換ボタンを複数回押す必要があり、一発では選択不能である。
【０００７】
特許文献２記載のビデオテープレコーダは、リモコンが無いうえ、再生する記録媒体が磁気テープの一種類しかないため、上述した課題を解決するものではない。このビデオテープレコーダは、再生モードから直接出力モードに切り換えるときに、磁気テープをカセット内に収容する停止モードを経ないで切り換える。また、直接出力モードから再生モードに切り換えるときには、カセット内から磁気テープを引き出す停止モードを経ないで切り換える。すなわち、直接出力モードは、磁気テープを使用しない外部入力モードである。停止モードの省略は、キー操作の簡略化に直接繋がらない。
【０００８】
特許文献３記載の複合電子装置は、ＶＣＲ（Video Cassette Recorder）キー及びＤＶＤキーがリモコンに設けられているものの、これらＶＣＲキーやＤＶＤキーが押されても出力モードが切り換わるだけであり、押された時点ではビデオテープやＤＶＤに記録された映像は再生されない。ビデオテープやＤＶＤに記録された映像を再生するためには、ＶＣＲキーやＤＶＤキーを押した後に、三角印で示される再生キー（共通キー）を押す必要がある。
【０００９】
特許文献４記載のリモコンも、ＶＣＲキー及びＤＶＤキーが設けられているものの、これらＶＣＲキーやＤＶＤキーが押されても出力モードが切り換わるだけであり、押された時点ではビデオテープやＤＶＤに記録された映像は再生されない。ビデオテープやＤＶＤに記録された映像を再生するためには、ＶＣＲキーやＤＶＤキーを押した後に、再生キー（共通キー）を押す必要がある。
【００１０】
以上を鑑み、本発明は、複数種類の記録媒体から映像情報を読み出して映像信号を外部の映像表示装置へ出力する本体を備えてリモートコントローラで操作される映像再生装置（一体型記録再生装置が含まれる）において、リモートコントローラの操作性を向上させることを目的としている。
【課題を解決するための手段】
【００１１】
上記目的を達成するため、本発明は、映像情報記録用の各記録媒体から映像情報を読み出して外部の映像表示装置へ出力するための映像信号を生成する各映像再生部を備える本体をリモートコントローラで操作するようにした映像再生装置において、
前記リモートコントローラは、一回の押し操作で前記各映像再生部に対応した各再生モードを前記本体に設定するとともに当該設定した再生モードに対応した記録媒体からの映像信号又は再生リストを前記映像表示装置へ出力するための再生キーを前記映像再生部毎に備え、押し操作に応じた操作状態信号を前記本体へ送信し、
前記本体は、前記操作状態信号を受信し、当該受信した操作状態信号が再生モードの設定及び映像信号又は再生リストの出力を表す信号である場合、当該受信した操作状態信号に対応する再生モードを自らに設定するとともに当該設定した再生モードに対応した記録媒体から映像情報を読み出して映像信号又は再生リストを生成して前記映像表示装置へ出力することを特徴とする。
【００１２】
ユーザがリモートコントローラの再生キーのいずれかを押すと、押された再生キーに対応した再生モードが本体に設定されるとともに、当該設定された再生モードに対応した記録媒体から映像情報が読み出されて映像信号又は再生リストが生成され、当該生成された映像信号又は再生リストが外部の映像表示装置へ出力される。従って、所望の記録媒体からの映像の再生又は再生リストの表示を映像表示装置にさせる前にモード切換キー等のリモコン操作を行わなくて済む。
【００１３】
上述した発明は、映像再生装置の制御方法及び制御プログラム、一体型記録再生装置の制御方法及び制御プログラム、これらのプログラムを記録したコンピューター読み取り可能な媒体、等に適用可能である。
【発明の効果】
【００１４】
請求項１に係る発明によれば、複数種類の記録媒体から映像情報を読み出して映像信号を外部の映像表示装置へ出力する本体を備えてリモートコントローラで操作される映像再生装置において、リモートコントローラの操作性を向上させることができる。
請求項２に係る発明では、一回の操作で再生モードの設定及び映像信号又は再生リストの出力を指示したいときのみ再生キーを長押しすればよいので、リモートコントローラの操作性をさらに向上させることができる。
請求項３に係る発明では、一回の操作で再生モードの設定及び映像信号又は再生リストの出力を指示するようにするか否かを選択することができるので、リモートコントローラの操作性をさらに向上させることができる。
請求項４に係る発明では、内蔵記録媒体再生キーを押す一回の操作で内蔵記録媒体再生モードの設定及び再生リストの出力を指示することができ、ビデオテープ再生キーを押す一回の操作でビデオテープ再生モードの設定及びビデオテープ映像信号の出力を指示することができるので、リモートコントローラの操作性をさらに向上させることができる。
請求項５に係る発明では、ハードディスクとディスク状記録媒体とビデオテープとから映像情報を読み出して映像信号を外部の映像表示装置へ出力する本体を備えてリモートコントローラで操作される一体型記録再生装置において、リモートコントローラの操作性を向上させることができる。
【図面の簡単な説明】
【００１５】
【図１】本発明の一実施形態に係る一体型記録再生装置（映像再生装置）１及びテレビジョン（映像表示装置）Ｔ１の構成を模式的に例示する正面図である。
【図２】一体型記録再生装置本体１０の回路構成の概略を例示するブロック図である。
【図３】リモートコントローラ４０の回路構成の概略を例示するブロック図である。
【図４】リモートコントローラ４０のキー配置を例示する図である。
【図５】リモートコントローラ４０が行う操作受付処理を例示するフローチャートである。
【図６】本体１０が行う再生処理を例示するフローチャートである。
【図７】ハードディスク再生リストＬ１の表示画面を例示する図である。
【図８】装着ディスク再生リストＬ２の表示画面を例示する図である。
【図９】変形例に係るリモートコントローラ４０が行う操作受付処理を示すフローチャートである。
【図１０】変形例に係る本体１０が行う再生処理を示すフローチャートである。
【図１１】変形例に係るリモートコントローラ４０のキー配置を示す図である。
【図１２】変形例に係るリモートコントローラ４０が行う操作受付処理を示すフローチャートである。
【発明を実施するための形態】
【００１６】
（１）映像再生装置の概略：
まず、図１〜１２を参照して、映像再生装置の概略を説明する。
映像再生装置１は、映像情報記録用の各記録媒体Ｍ１〜Ｍ３から映像情報ＩＶ１〜ＩＶ３を読み出して外部の映像表示装置Ｔ１へ出力するための映像信号ＳＶ１〜ＳＶ３を生成する各映像再生部３１〜３３を備える。映像再生装置１は、本体１０をリモコン（リモートコントローラ）４０で操作するようにされている。
【００１７】
リモコン４０は、再生キー５１〜５３を前記映像再生部３１〜３３毎に備えている。各再生キー５１〜５３は、一回の押し操作で各映像再生部３１〜３３に対応した各再生モードを本体１０に設定するとともに当該設定した再生モードに対応した記録媒体Ｍ１〜Ｍ３からの映像信号ＳＶ１〜ＳＶ３又は再生リストＬ１，Ｌ２を前記映像表示装置Ｔ１へ出力するための操作キーである。リモコン４０は、再生キー５１〜５３の押し操作に応じた操作状態信号ＳＩ１を前記本体１０へ送信する。
本体１０は、操作状態信号ＳＩ１を受信する。当該受信した操作状態信号ＳＩ１が再生モードの設定及び映像信号ＳＶ１〜ＳＶ３又は再生リストＬ１，Ｌ２の出力を表す信号である場合、本体１０は、当該受信した操作状態信号ＳＩ１に対応する再生モードを自らに設定するとともに当該設定した再生モードに対応した記録媒体Ｍ１〜Ｍ３から映像情報ＩＶ１〜ＩＶ３を読み出して映像信号ＳＶ１〜ＳＶ３又は再生リストＬ１，Ｌ２を生成して映像表示装置Ｔ１へ出力する。
【００１８】
ユーザがリモコン４０の再生キー５１〜５３のいずれかを押すと、押された再生キー５１〜５３に対応した再生モードが本体１０に設定されるとともに、当該設定された再生モードに対応した記録媒体Ｍ１〜Ｍ３から映像情報ＩＶ１〜ＩＶ３が読み出されて映像信号ＳＶ１〜ＳＶ３又は再生リストＬ１，Ｌ２が生成され、当該生成された映像信号ＳＶ１〜ＳＶ３又は再生リストＬ１，Ｌ２が外部の映像表示装置Ｔ１へ出力される。従って、所望の記録媒体Ｍ１〜Ｍ３からの映像の再生又は再生リストＬ１，Ｌ２の表示を映像表示装置Ｔ１にさせる前にモード切換キー等のリモコン操作を行わなくて済む。
【００１９】
図９に示すように、リモコン４０は、再生キー５１〜５３が所定時間ｔ１以上押されたときに再生モードの設定及び映像信号ＳＶ１〜ＳＶ３又は再生リストＬ１，Ｌ２の出力が表された操作状態信号ＳＩ１を本体１０へ送信してもよい。一回の操作で再生モードの設定及び映像信号ＳＶ１〜ＳＶ３又は再生リストＬ１，Ｌ２の出力を指示したいときのみ再生キー５１〜５３を長押しすればよいので、リモコン４０の操作性をさらに向上させることができる。
【００２０】
図１０，１１に示すように、リモコン４０は、再生キー５１〜５３を一回の押し操作で再生モードの設定及び映像信号ＳＶ１〜ＳＶ３又は再生リストＬ１，Ｌ２の出力を指示するキーとするか否かの選択入力を受け付けてもよい。一回の押し操作で再生モードの設定及び映像信号ＳＶ１〜ＳＶ３又は再生リストＬ１，Ｌ２の出力を指示するキーとする選択入力を受け付けた場合、リモコン４０は、再生モードの設定及び映像信号ＳＶ１〜ＳＶ３又は再生リストＬ１，Ｌ２の出力が表された操作状態信号ＳＩ１を本体１０へ送信する。一回の操作で再生モードの設定及び映像信号ＳＶ１〜ＳＶ３又は再生リストＬ１，Ｌ２の出力を指示するようにするか否かを選択することができるので、リモコン４０の操作性をさらに向上させることができる。
【００２１】
各映像再生部３１〜３３には、内蔵記録媒体映像再生部３１とビデオテープ映像再生部３３とが少なくとも含まれてもよい。内蔵記録媒体映像再生部３１は、本体１０に設けられた内蔵記録媒体Ｍ１から内蔵記録媒体映像情報ＩＶ１を読み出して映像表示装置Ｔ１へ出力するための内蔵記録媒体映像信号ＳＶ１を生成する。ビデオテープ映像再生部３３は、テープ状記録媒体Ｍ３からビデオテープ映像情報ＩＶ３を読み出して映像表示装置Ｔ１へ出力するためのビデオテープ映像信号ＳＶ３を生成する。
リモコン４０は、再生キー５１〜５３として、内蔵記録媒体再生キー５１とビデオテープ再生キー５３とを少なくとも備えていてもよい。内蔵記録媒体再生キー５１は、一回の押し操作で内蔵記録媒体映像再生部３１に対応した内蔵記録媒体再生モードを本体１０に設定するとともに内蔵記録媒体Ｍ１からの内蔵記録媒体再生リストＬ１を映像表示装置Ｔ１へ出力するための操作キーである。ビデオテープ再生キー５３は、一回の押し操作でビデオテープ映像再生部３３に対応したビデオテープ再生モードを本体１０に設定するとともにテープ状記録媒体Ｍ３からのビデオテープ映像信号ＳＶ３を映像表示装置Ｔ１へ出力するための操作キーである。
【００２２】
本体１０は、受信した操作状態信号ＳＩ１が内蔵記録媒体再生モードの設定及び内蔵記録媒体再生リストＬ１の出力を表す信号である場合、内蔵記録媒体再生モードを自らに設定するとともに内蔵記録媒体映像再生部３１で内蔵記録媒体Ｍ１から内蔵記録媒体映像情報ＩＶ１を読み出して内蔵記録媒体再生リストＬ１を生成して映像表示装置Ｔ１へ出力してもよい。また、本体１０は、受信した操作状態信号ＳＩ１がビデオテープ再生モードの設定及びビデオテープ映像信号ＳＶ３の出力を表す信号である場合、ビデオテープ再生モードを自らに設定するとともにビデオテープ映像再生部３３でテープ状記録媒体Ｍ３からビデオテープ映像情報ＩＶ３を読み出してビデオテープ映像信号ＳＶ３を生成して映像表示装置Ｔ１へ出力してもよい。
内蔵記録媒体再生キー５１を押す一回の操作で内蔵記録媒体再生モードの設定及び再生リストＬ１，Ｌ２の出力を指示することができ、ビデオテープ再生キー５３を押す一回の操作でビデオテープ再生モードの設定及びビデオテープ映像信号ＳＶ３の出力を指示することができるので、リモコン４０の操作性をさらに向上させることができる。
【００２３】
（２）映像再生装置の構成：
次に、本発明の一実施形態に係る映像表示装置を適用した一体型記録再生装置の詳細を説明する。
図１は、本発明の一実施形態に係る一体型記録再生装置（映像再生装置）１を含む記録再生システムＳ１を模式的に例示している。図１に示すように、一体型記録再生装置（映像再生装置）１は、テレビジョン（外部の映像表示装置）Ｔ１に接続されて使用される。
【００２４】
テレビジョンＴ１は、放送信号を受信して該放送信号に従った映像Ｖ１を前面の表示面Ｔ１ａに表示可能である。テレビジョンＴ１の外部入力端子Ｔ１ｂは、信号ケーブルＣＡ１を介して記録再生装置１の外部出力端子（外部出力部）２５に接続されている。従って、テレビジョンＴ１は、記録再生装置１からテレビジョン信号を入力して該テレビジョン信号に従った映像Ｖ１を表示面Ｔ１ａに表示可能である。テレビジョンＴ１に供給する映像信号は、ＨＤＭＩ（High-Definition Multimedia Interface）規格の映像信号、コンポジット映像信号、コンポーネント映像信号、等を用いることができる。入力端子Ｔ１ｂや出力端子２５やケーブルＣＡ１には、映像信号の種類に応じたものを使用すればよい。
【００２５】
図２に示すように、記録再生装置１は、制御部１１、本体側送受信回路１８、チューナ２１、外部入力端子（外部入力部）２２、入力切換部２３、出力切換部２４、外部出力端子（外部出力部）２５、ハードディスク記録再生部（内蔵記録媒体映像再生部、映像再生部）３１、装着ディスク記録再生部（映像再生部）３２、ビデオテープ記録再生部（ビデオテープ映像再生部、映像再生部）３３、ハードディスク（内蔵記録媒体、記録媒体）Ｍ１、等を備えている。本実施形態の記録再生装置１は、ハードディスクレコーダとＤＶＤレコーダとＶＨＳ方式のビデオテープレコーダの一体型装置とされている。
【００２６】
制御部１１は、ＣＰＵ（Central Processing Unit）１２、半導体メモリ１３，１４、時計回路１５、等がバスを介して互いに情報を入出力可能とされたマイコン（マイクロコンピュータ）とされている。ＣＰＵ１２は、ＲＡＭ（Random Access Memory）１４をワークエリアとして利用しながらＲＯＭ（Read Only Memory）１３に書き込まれた記録再生装置用の制御プログラムを実行し、記録再生装置１全体の動作を制御する。ＲＡＭ１４には、現在の再生モードを表すモード情報ＩＭ１が格納される。例えば、モード情報「１」がハードディスク再生モードとされ、モード情報「２」が装着ディスク再生モードとされ、モード情報「３」がビデオテープ再生モードとされる。ハードディスク再生モードは、ハードディスク記録再生部３１に対応したモードであり、ハードディスク記録再生部３１を使用してハードディスク（内蔵記録媒体、記録媒体）Ｍ１に対する記録処理及び再生処理を行う設定とされる。装着ディスク再生モードは、装着ディスク記録再生部３２に対応したモードであり、装着ディスク記録再生部３２を使用してＤＶＤ（ディスク状記録媒体、記録媒体）Ｍ２に対する記録処理及び再生処理を行う設定とされる。ビデオテープ再生モードは、ビデオテープ記録再生部３３に対応したモードであり、ビデオテープ記録再生部３３を使用してビデオテープ（テープ状記録媒体、記録媒体）Ｍ３に対する記録処理及び再生処理を行う設定とされる。時計回路１５は、一定時間毎に割込信号を生成してＣＰＵ１２へ出力可能である。
【００２７】
本体側送受信回路１８は、リモコン４０のリモコン側送受信回路４８との間で赤外線信号（無線信号）を送受信可能である。この赤外線信号には、操作キー５０の押し操作に応じた操作状態信号ＳＩ１が含まれる。
【００２８】
チューナ２１は、アンテナからテレビジョン放送信号を受信し、当該受信した放送信号に従って映像信号を生成して入力切換部２３へ出力する。
外部入力端子２２は、外部の機器からテレビジョン信号を入力して入力切換部２３へ出力する。
入力切換部２３は、制御部１１からの指示に従って、記録再生部３１〜３３へ出力する映像信号をチューナ２１からの映像信号にするのか外部入力端子２２からの映像信号にするのかを切り換える。また、入力切換部２３は、制御部１１からの指示に従って、映像信号をどの記録再生部３１〜３３へ出力するかを切り換える。
出力切換部２４は、制御部１１からの指示に従って、外部出力端子２５へ出力する映像信号をどの記録再生部３１〜３３からの映像信号にするのかを切り換える。
外部出力端子２５は、出力切換部２４から映像信号を入力して外部の映像出力装置（例えばテレビジョンＴ１）へ出力する。
【００２９】
ハードディスク記録再生部３１は、内蔵のハードディスクＭ１に対して記録処理及び再生処理を行う。記録時、ハードディスク記録再生部３１は、入力切換部２３から映像信号を入力し、当該映像信号に対応したハードディスク映像情報を生成してハードディスクＭ１に記録する。その際、図７に示すハードディスク再生リスト（内蔵記録媒体再生リスト、再生リスト）Ｌ１を生成するための情報もハードディスクＭ１に記録する。再生時、ハードディスク記録再生部３１は、ハードディスクＭ１からハードディスク映像情報（内蔵記録媒体映像情報、映像情報）ＩＶ１を読み出し、当該映像情報ＩＶ１に対応したハードディスク映像信号（映像信号）ＳＶ１を生成する。この映像信号ＳＶ１は、外部のテレビジョンＴ１へ出力するための映像信号であり、出力切換部２４を介して外部のテレビジョンＴ１へ出力される。
【００３０】
装着ディスク記録再生部３２は、当該装着ディスク記録再生部３２に装着されたディスク状記録媒体Ｍ２に対して記録処理及び再生処理を行う。記録時、装着ディスク記録再生部３２は、入力切換部２３から映像信号を入力し、当該映像信号に対応した装着ディスク映像情報を生成してディスク状記録媒体Ｍ２に記録する。その際、図８に示す装着ディスク再生リスト（再生リスト）Ｌ２を生成するための情報もディスク状記録媒体Ｍ２に記録する。再生時、装着ディスク記録再生部３２は、装着されたディスク状記録媒体Ｍ２から装着ディスク映像情報ＩＶ２を読み出し、当該映像情報ＩＶ２に対応した装着ディスク映像信号（映像信号）ＳＶ２を生成する。この映像信号ＳＶ２は、テレビジョンＴ１へ出力するための映像信号であり、出力切換部２４を介して外部のテレビジョンＴ１へ出力される。
【００３１】
ビデオテープ記録再生部３３は、当該ビデオテープ記録再生部３３に装着されたビデオテープ（テープ状記録媒体、記録媒体）Ｍ３に対して記録処理及び再生処理を行う。記録時、ビデオテープ記録再生部３３は、入力切換部２３から映像信号を入力し、当該映像信号に対応したビデオテープ映像情報を生成してビデオテープＭ３に記録する。再生時、ビデオテープ記録再生部３３は、装着されたビデオテープＭ３からビデオテープ映像情報ＩＶ３を読み出し、当該映像情報ＩＶ３に対応したビデオテープ映像信号ＳＶ３を生成する。この映像信号ＳＶ３は、テレビジョンＴ１へ出力するための映像信号であり、出力切換部２４を介して外部のテレビジョンＴ１へ出力される。
【００３２】
図３，４に示すように、リモコン４０は、制御部４１、リモコン側送受信回路４８、複数の操作キー５０、等を備えている。本実施形態のリモコン４０は、単体でハードディスクレコーダとＤＶＤレコーダとビデオテープレコーダとを操作可能とされている。
【００３３】
制御部４１は、ＣＰＵ４２、半導体メモリ４３，４４、時計回路４５、Ｉ／Ｏ（入出力）回路４６、Ｉ／Ｆ（インターフェイス）４７、等がバスを介して互いに情報を入出力可能とされたマイコンとされている。ＣＰＵ４２は、ＲＡＭ４４をワークエリアとして利用しながらＲＯＭ４３に書き込まれた記録再生装置リモコン用の制御プログラムを実行し、リモコン４０全体の動作を制御する。時計回路４５は、一定時間毎に割込信号を生成してＣＰＵ４２へ出力可能である。Ｉ／Ｏ回路４６は、リモコン側送受信回路４８に接続され、リモコン側送受信回路４８に対して信号を入出力可能とされている。Ｉ／Ｆ４７は、操作キー５０に接続され、各操作キー５０の押し操作の有無を表す信号を入力する。
【００３４】
リモコン側送受信回路４８は、本体側送受信回路１８との間で赤外線信号を送受信可能である。この赤外線信号には、操作キー５０の押し操作に応じた操作状態信号ＳＩ１が含まれる。
【００３５】
各操作キー５０は、押し操作によりスイッチが導通してオンとなる押しボタンスイッチとされている。どの操作キー５０が押されたかを表す信号がＩ／Ｆ４７に入力され、各操作キー５０の押し操作が制御部４１で把握可能とされている。図４に示すように、複数の操作キー５０には、電源キー、チャンネルキー、メニューキー、等の他、「ＨＤＤ再生」で表されるハードディスク再生キー（内蔵記録媒体再生キー、再生キー）５１、装着ディスク再生キー（再生キー）５２、ビデオテープ再生キー（再生キー）５３、が含まれている。ハードディスク再生キー５１は、一回の押し操作でハードディスク再生モードを本体１０に設定するとともにハードディスクＭ１からのハードディスク再生リストＬ１をテレビジョンＴ１へ出力するための操作キーである。装着ディスク再生キー５２は、一回の押し操作で装着ディスク再生モードを本体１０に設定するとともにディスク状記録媒体Ｍ２からの装着ディスク映像信号ＳＶ２又は装着ディスク再生リストＬ２をテレビジョンＴ１へ出力するための操作キーである。ビデオテープ再生キー５３は、一回の押し操作でビデオテープ再生モードを本体１０に設定するとともにビデオテープＭ３からのビデオテープ映像信号ＳＶ３をテレビジョンＴ１へ出力するための操作キーである。
【００３６】
制御部４１は、各操作キー５０の押し操作に応じた信号をＩ／Ｆ４７から入力し、当該入力信号に対応した操作状態信号ＳＩ１を生成する。この操作状態信号ＳＩ１は、Ｉ／Ｏ回路４６からリモコン側送受信回路４８へ出力され、電圧信号から赤外線信号に変換されて、本体１０へ無線送信される。
【００３７】
（３）映像再生装置の動作、作用、及び、効果：
図５は、リモコンの制御部４１が行う操作受付処理をフローチャートにより例示している。図５中、条件分岐処理を六角形のブロックにより示している。図６，８，１１も、同様である。本操作受付処理は、複数の操作キー５０のいずれかが押し操作されたことを表す信号が制御部１１に入力されたときに開始し、マルチタスクにより他の処理と並列して行われる。
処理を開始すると、制御部４１は、再生キー５１〜５３のいずれかが押されたか否かを判断する（ステップＳ１０２。以下、「ステップ」の記載を省略）。再生キー５１〜５３が押されていない場合は、Ｓ１０４へ進まない。再生キー５１〜５３のいずれかが押されると、制御部４１は、再生キー５１〜５３の押し操作に応じた操作状態信号ＳＩ１を生成し、リモコン側送受信回路４８から本体１０へ無線送信させる（Ｓ１０４）。すると、本体１０は、本体側送受信回路１８で操作状態信号ＳＩ１を受信して赤外線信号からデジタルの電圧信号へ変換し、このデジタル電圧信号とされた操作状態信号ＳＩ１を制御部１１に入力して図６に示す再生処理を開始する。
【００３８】
図６は、本体の制御部１１が行う再生処理をフローチャートにより例示している。上述したように、本処理は、再生キー５１〜５３のいずれかが押されたことを表す操作状態信号ＳＩ１が制御部１１に入力されたときに開始し、マルチタスクにより他の処理と並列して行われる。
【００３９】
処理を開始すると、制御部１１は、操作状態信号ＳＩ１がハードディスク再生キー５１の押し操作を表す信号、すなわち、操作状態信号ＳＩ１がハードディスク再生モードの設定及びハードディスク再生リストＬ１の出力を表す信号であるか否かを判断する（Ｓ２１０）。条件成立時にはＳ２１２に進み、条件不成立時にはＳ２２０に進む。Ｓ２１２では、ハードディスク再生モードを自らに設定する。例えば、ＲＡＭ１４に設けたモード情報ＩＭ１の格納領域にハードディスク再生モードを表す「１」を格納する。Ｓ２１４では、ハードディスク記録再生部３１にハードディスクＭ１からハードディスク映像情報ＩＶ１を読み出させる。Ｓ２１６では、ハードディスク記録再生部３１に対して、当該ハードディスク映像情報ＩＶ１に基づいて図７に示すようなハードディスク再生リストＬ１を生成させ、再生リストＬ１のＯＳＤ（On-Screen Display）信号を生成させて、出力切換部２４を介して外部出力端子２５からテレビジョンＴ１へ出力させる。再生リストＬ１のＯＳＤ信号を入力したテレビジョンＴ１は、再生リストＬ１を画面表示する。
【００４０】
図７に例示するハードディスク再生リストＬ１には、ハードディスクＭ１に記録されている映像の一覧が設けられている。記録再生装置１のユーザは、リモコンの操作キー５０を操作することにより、一覧中の映像を選択して再生させることが可能である。
【００４１】
Ｓ２１０で条件不成立時、制御部１１は、操作状態信号ＳＩ１が装着ディスク再生キー５２の押し操作を表す信号、すなわち、操作状態信号ＳＩ１が装着ディスク再生モードの設定及び装着ディスク映像信号ＳＶ２又は装着ディスク再生リストＬ２の出力を表す信号であるか否かを判断する（Ｓ２２０）。条件成立時にはＳ２２２に進み、条件不成立時にはＳ２３０に進む。Ｓ２２２では、装着ディスク再生モードを自らに設定する。例えば、ＲＡＭ１４に設けたモード情報ＩＭ１の格納領域に装着ディスク再生モードを表す「２」を格納する。Ｓ２２４では、装着ディスク記録再生部３２にディスク状記録媒体Ｍ２から装着ディスク映像情報ＩＶ２を読み出させる。Ｓ２２６では、装着ディスク記録再生部３２に対して、当該装着ディスク映像情報ＩＶ２に基づいて装着ディスク映像信号ＳＶ２又は図８に示すような装着ディスク再生リストＬ２を生成させ、出力切換部２４を介して外部出力端子２５から装着ディスク映像信号ＳＶ２を前記映像表示装置Ｔ１へ出力するか、再生リストＬ２のＯＳＤ信号を生成させて出力切換部２４を介して外部出力端子２５からテレビジョンＴ１へ出力させるかする。ディスク状記録媒体Ｍ２がいきなり映像を再生させる仕様とされていれば、装着ディスク記録再生部３２は、テレビジョンＴ１へ出力するための装着ディスク映像信号ＳＶ２を生成する。この場合、映像信号ＳＶ２を入力したテレビジョンＴ１は、映像信号ＳＶ２に従った映像Ｖ１を表示する。一方、ディスク状記録媒体Ｍ２が再生リストＬ２を表示する仕様とされていれば、装着ディスク記録再生部３２は、テレビジョンＴ１へ出力するための再生リストＬ２を生成する。この場合、再生リストＬ２のＯＳＤ信号を入力したテレビジョンＴ１は、再生リストＬ２を画面表示する。
【００４２】
図８に例示する装着ディスク再生リストＬ２には、ディスク状記録媒体Ｍ２に記録されている映像の一覧が設けられている。記録再生装置１のユーザは、リモコンの操作キー５０を操作することにより、一覧中の映像を選択して再生させることが可能である。
【００４３】
Ｓ２２０で条件不成立時、制御部１１は、操作状態信号ＳＩ１がビデオテープ再生キー５３の押し操作を表す信号、すなわち、操作状態信号ＳＩ１がビデオテープ再生モードの設定及びビデオテープ映像信号ＳＶ３の出力を表す信号であるか否かを判断する（Ｓ２３０）。条件成立時にはＳ２３２に進み、条件不成立時には本再生処理を終了する。Ｓ２３２では、ビデオテープ再生モードを自らに設定する。例えば、ＲＡＭ１４に設けたモード情報ＩＭ１の格納領域にビデオテープ再生モードを表す「３」を格納する。Ｓ２３４では、ビデオテープ記録再生部３３にビデオテープからビデオテープ映像情報ＩＶ３を読み出させる。Ｓ２３６では、ビデオテープ記録再生部３３に対して、当該ビデオテープ映像情報ＩＶ３に基づいてビデオテープ映像信号ＳＶ３を生成させ、出力切換部２４を介して外部出力端子２５からビデオテープ映像信号ＳＶ３をテレビジョンＴ１へ出力させる。映像信号ＳＶ３を入力したテレビジョンＴ１は、映像信号ＳＶ３に従った映像Ｖ１を表示する。
【００４４】
ユーザがリモコン４０の再生キー５１〜５３のいずれかを押すと、押された再生キー５１〜５３に対応した再生モードが本体１０に設定されるとともに、当該設定された再生モードに対応した記録媒体Ｍ１〜Ｍ３から映像情報ＩＶ１〜ＩＶ３が読み出されて映像信号ＳＶ１〜ＳＶ３又は再生リストＬ１，Ｌ２が生成され、当該生成された映像信号ＳＶ１〜ＳＶ３又は再生リストＬ１，Ｌ２が外部の映像表示装置Ｔ１へ出力される。従って、所望の記録媒体Ｍ１〜Ｍ３からの映像の再生又は再生リストＬ１，Ｌ２の表示を映像表示装置Ｔ１にさせる前にモード切換キー等のリモコン操作を行わなくて済む。
以上より、本映像再生装置１によれば、複数種類の記録媒体Ｍ１〜Ｍ３から映像情報ＩＶ１〜ＩＶ３を読み出して映像信号ＳＶ１〜ＳＶ３を外部の映像表示装置Ｔ１へ出力する本体１０を備えてリモコン４０で操作される映像再生装置１において、リモコン４０の操作性を向上させることができる。今回の方法は一度のキー押し下げで、所望のコンテンツの再生をしたり、再生リストを表示したりすることが可能となる。再生方法が簡単であり、ユーザークレームが生じない。
【００４５】
（４）変形例：
本発明を適用可能な映像再生装置は、記録機能の無いプレイヤーでもよい。
ディスク状記録媒体映像再生部は、ＤＶＤ以外のディスク状記録媒体の映像を再生可能とされてもよい。
テープ状記録媒体映像再生部は、ＶＨＳ方式以外のテープ状記録媒体の映像を再生可能とされてもよい。
映像再生装置に設けられる映像再生部は、４種類以上でもよいし、２種類でもよい。従って、内蔵記録媒体映像再生部の無いディスク状記録媒体映像再生部とテープ状記録媒体映像再生部とからなる映像再生装置、ディスク状記録媒体映像再生部の無い内蔵記録媒体映像再生部とテープ状記録媒体映像再生部とからなる映像再生装置、テープ状記録媒体映像再生部の無い内蔵記録媒体映像再生部とディスク状記録媒体映像再生部とからなる映像再生装置、等にも、本発明を適用可能である。
上述した処理の各ステップの順番は、適宜、変更可能である。例えば、Ｓ２２０〜Ｓ２２６の処理の前に、Ｓ２３０〜Ｓ２３６の処理を行ってもよい。
Ｓ２１６では、ハードディスク再生リストＬ１を生成する代わりにハードディスク映像信号ＳＶ１を生成して本体１０へ送信してもよい。Ｓ２２６でも、強制的に装着ディスク映像信号ＳＶ２を生成して本体１０へ送信してもよい。Ｓ２３６では、ビデオテープ映像信号ＳＶ３を生成する代わりにビデオテープ再生リストを生成して本体１０へ送信してもよい。
【００４６】
図９に示す変形例に係るリモコン４０が行う操作受付処理のように、再生キー５１〜５３が所定時間ｔ１（秒）以上押されたときに再生モードの設定及び映像信号ＳＶ１〜ＳＶ３又は再生リストＬ１，Ｌ２の出力が表された操作状態信号ＳＩ１を本体１０へ送信してもよい。
処理を開始すると、制御部４１は、再生キー５１〜５３のいずれかが押されたか否かを判断する（Ｓ３０２）。条件成立時、制御部４１は、ハードディスク再生キー５１が所定時間ｔ１以上長押しされたか否かを判断する（Ｓ３０４）。長押しされた場合、ハードディスク再生モードの設定及びハードディスク再生リストＬ１の出力が表された操作状態信号ＳＩ１を生成して本体１０へ送信し（Ｓ３０６）、Ｓ３０２に戻る。
【００４７】
ハードディスク再生キー５１が長押しされていなかった場合、制御部４１は、装着ディスク再生キー５２が所定時間ｔ１以上長押しされたか否かを判断する（Ｓ３０８）。長押しされた場合、装着ディスク再生モードの設定及び装着ディスク再生リストＬ２（又は装着ディスク映像信号ＳＶ２）の出力が表された操作状態信号ＳＩ１を生成して本体１０へ送信し（Ｓ３１０）、Ｓ３０２に戻る。
装着ディスク再生キー５２が長押しされていなかった場合、制御部４１は、ビデオテープ再生キー５３が所定時間ｔ１以上長押しされたか否かを判断する（Ｓ３１２）。長押しされた場合、ビデオテープ再生モードの設定及びビデオテープ映像信号ＳＶ３の出力が表された操作状態信号ＳＩ１を生成して本体１０へ送信し（Ｓ３１４）、Ｓ３０２に戻る。
【００４８】
再生キー５１〜５３が長押しされていなかった場合、制御部４１は、押された操作キーに対応する操作状態信号ＳＩ１を生成して本体１０へ送信し（Ｓ３１６）、Ｓ３０２に戻る。
【００４９】
一方、本体１０では、図１０に例示する再生処理を行えばよい。本処理は、図６のＳ２１０，Ｓ２２０，Ｓ２３０の代わりにＳ３２０，Ｓ３２２，Ｓ３２４が行われる。すなわち、制御部１１は、Ｓ３２０で操作状態信号ＳＩ１がハードディスク再生キー５１の長押しを表す信号、すなわち、操作状態信号ＳＩ１がハードディスク再生モードの設定及びハードディスク再生リストＬ１の出力を表す信号であるか否かを判断する。制御部１１は、Ｓ３２２で操作状態信号ＳＩ１が装着ディスク再生キー５２の長押しを表す信号、すなわち、操作状態信号ＳＩ１が装着ディスク再生モードの設定及び装着ディスク再生リストＬ２（又は装着ディスク映像信号ＳＶ２）の出力を表す信号であるか否かを判断する。制御部１１は、Ｓ３２４で操作状態信号ＳＩ１がビデオテープ再生キー５３の長押しを表す信号、すなわち、操作状態信号ＳＩ１がビデオテープ再生モードの設定及びビデオテープ映像信号ＳＶ３の出力を表す信号であるか否かを判断する。
【００５０】
本変形例では、一回の操作で再生モードの設定及び映像信号ＳＶ１〜ＳＶ３又は再生リストＬ１，Ｌ２の出力を指示したいときのみ再生キー５１〜５３を長押しすればよいので、リモートコントローラ４０の操作性をさらに向上させることができる。
【００５１】
図１１，１２に示す変形例に係るリモコン４０のように、再生キー５１〜５３を一回の押し操作で再生モードの設定及び映像信号ＳＶ１〜ＳＶ３又は再生リストＬ１，Ｌ２の出力を指示するキーとするか否かの選択入力を受け付けるとともに、一回の押し操作で再生モードの設定及び映像信号ＳＶ１〜ＳＶ３又は再生リストＬ１，Ｌ２の出力を指示するキーとする選択入力を受け付けた場合に再生モードの設定及び映像信号ＳＶ１〜ＳＶ３又は再生リストＬ１，Ｌ２の出力が表された操作状態信号ＳＩ１を本体１０へ送信してもよい。
【００５２】
図１１に示すように、本変形例のリモコン４０は、一発操作選択キー５４が複数の操作キー５０に含まれている。また、ＲＡＭ４４には、現在の操作モードが一発操作モード（例えば「１」）であるか非一発操作モード（例えば「０」）であるかを表す操作モード情報ＩＭ２が格納されている。
【００５３】
図１２に示す操作受付処理を開始すると、リモコンの制御部４１は、一発操作選択キー５４が押されたか否かを判断する（Ｓ４０２）。一発操作選択キー５４が押されると、制御部４１は、操作モードを切り換える（Ｓ４０４）。例えば、現在の操作モード情報ＩＭ２が「０」（非一発操作モード）であれば操作モード情報ＩＭ２を「１」（一発操作モード）に書き換え、現在の操作モード情報ＩＭ２が「１」（一発操作モード）であれば操作モード情報ＩＭ２を「０」（非一発操作モード）に書き換える。Ｓ４０６では、再生キー５１〜５３のいずれかが押されたか否かを判断する。再生キー５１〜５３のいずれかが押されると、制御部４１は、現在の操作モードが一発操作モードであるか否かを判断する（Ｓ４０８）。例えばＲＡＭ４４に記憶されている操作モード情報ＩＭ２が「１」であれば条件成立となり、押された再生キー５１〜５３に応じて再生モードの設定及び映像信号ＳＶ１〜ＳＶ３又は再生リストＬ１，Ｌ２の出力が表された操作状態信号ＳＩ１を本体１０へ送信する（Ｓ４１０）。むろん、ハードディスク再生キー５１が押された場合にはハードディスク再生モードの設定及びハードディスク再生リストＬ１の出力が表された操作状態信号ＳＩ１を送信し、装着ディスク再生キー５２が押された場合には装着ディスク再生モードの設定及び装着ディスク再生リストＬ２（又は装着ディスク映像信号ＳＶ２）の出力が表された操作状態信号ＳＩ１を送信し、ビデオテープ再生キー５３が押された場合にはビデオテープ再生モードの設定及びビデオテープ映像信号ＳＶ３の出力が表された操作状態信号ＳＩ１を送信する。
【００５４】
一発操作モードでなければ、制御部４１は、押された再生キー５１〜５３に応じて再生モードの設定のみを表す操作状態信号ＳＩ１を本体１０へ送信し（Ｓ４１２）、Ｓ４０２に戻る。
【００５５】
本体１０では、図６で示した再生処理のＳ２１０，Ｓ２２０，Ｓ２３０の判断処理において、再生モードの設定及び映像信号ＳＶ１〜ＳＶ３又は再生リストＬ１，Ｌ２の出力が表された操作状態信号ＳＩ１を受信した場合にＳ２１２〜Ｓ２１６，Ｓ２２２〜Ｓ２２６，Ｓ２３２〜Ｓ２３６の処理を行えばよい。
【００５６】
（４）まとめ：
以上説明したように、本発明によると、種々の態様により、複数種類の記録媒体から映像情報を読み出して映像信号を外部の映像表示装置へ出力する本体を備えてリモコンで操作される映像再生装置（一体型記録再生装置が含まれる）において、リモコンの操作性を向上させる映像再生装置、一体型記録再生装置、これらの制御方法及び制御プログラム、当該プログラムを記録したコンピューター読み取り可能な記録媒体を提供することができる。
【００５７】
なお、従属請求項に係る構成要件を有しておらず独立請求項に係る構成要件のみからなる装置、システム、方法及びプログラムでも、上述した基本的な作用、効果が得られる。
【００５８】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５９】
１…一体型記録再生装置（映像再生装置）、
１０…本体、
１１…制御部、
１８…本体側送受信回路、
２１…チューナ、２２…外部入力端子（外部入力部）、２３…入力切換部、
２４…出力切換部、２５…外部出力端子（外部出力部）、
３１…ハードディスク記録再生部（内蔵記録媒体映像再生部、映像再生部）、
３２…装着ディスク記録再生部（映像再生部）、
３３…ビデオテープ記録再生部（ビデオテープ映像再生部、映像再生部）、
４０…リモコン（リモートコントローラ）、
４１…制御部、
４８…リモコン側送受信回路、
５０…操作キー
５１…ハードディスク再生キー（内蔵記録媒体再生キー、再生キー）、
５２…装着ディスク再生キー（再生キー）、
５３…ビデオテープ再生キー（再生キー）、
５４…一発操作選択キー、
ＩＭ１…モード情報、ＩＭ２…操作モード情報、
ＩＶ１…ハードディスク映像情報（内蔵記録媒体映像情報、映像情報）、
ＩＶ２…装着ディスク映像情報（映像情報）、
ＩＶ３…ビデオテープ映像情報（映像情報）、
Ｌ１…ハードディスク再生リスト（内蔵記録媒体再生リスト、再生リスト）、
Ｌ２…装着ディスク再生リスト（再生リスト）、
Ｍ１…ハードディスク（内蔵記録媒体、記録媒体）、
Ｍ２…ＤＶＤ（ディスク状記録媒体、記録媒体）、
Ｍ３…ビデオテープ（テープ状記録媒体、記録媒体）、
Ｓ１…記録再生システム、
ＳＩ１…操作状態信号、
ＳＶ１…ハードディスク映像信号（映像信号）、
ＳＶ２…装着ディスク映像信号（映像信号）、
ＳＶ３…ビデオテープ映像信号（映像信号）、
Ｔ１…テレビジョン（外部の映像表示装置）、
Ｖ１…映像。
【図１】
2011114410.tif 000003
【図２】
2011114410.tif 000004
【図３】
2011114410.tif 000005
【図４】
2011114410.tif 000006
【図５】
2011114410.tif 000007
【図６】
2011114410.tif 000008
【図７】
2011114410.tif 000009
【図８】
2011114410.tif 000010
【図９】
2011114410.tif 000011
【図１０】
2011114410.tif 000012
【図１１】
2011114410.tif 000013
【図１２】
2011114410.tif 000014